(57)【要約】【課題】片手で持って充填口を開口したまま保持でき、特別の部材を用いることも、特別な製造工程も必要なくコストが低減できる流動食用注出口付きパウチを提供する。【解決手段】上端部に充填口４となる開放端と、下端部分に注出口のチューブ５を設けた流動食用注出口付きパウチ１００であって、上部に左右方向のジッパー６を設け、ジッパーの一方の端部に親指を掛けるための親指掛け部９を設け、他方の端部に親指以外の他の指を掛けるための他指掛け部８を設けた。親指掛け部は、右サイドシール部２が内方に窪んだ凹部で設け、他指掛け部は、左サイドシール部１に広幅シール部７を設け、広幅シール部に切れ目によって孔部で設け、切れ目は上端の開いた略Ｕ字型で、切れていない継ぎ部８ａが１箇所以上設けられている。【選択図】図１
2016067850.tif 000002
【特許請求の範囲】
【請求項１】
上端部に充填口となる開放端と下端部分に注出口を設けた流動食用注出口付きパウチであって、
上部に左右方向のジッパーを設け、該ジッパーの一端部に親指を掛けるための親指掛け部を設けたことを特徴とする流動食用注出口付きパウチ。
【請求項２】
上端部に充填口となる開放端と下端部分に注出口を設けた流動食用注出口付きパウチであって、
上部に左右方向のジッパーを設け、該ジッパーの一端部に親指以外の他の指を掛けるための他指掛け部を設けたことを特徴とする流動食用注出口付きパウチ。
【請求項３】
上端部に充填口となる開放端と下端部分に注出口を設けた流動食用注出口付きパウチであって、
上部に左右方向のジッパーを設け、該ジッパーの一方の端部に親指を掛けるための親指掛け部を設け、他方の端部に親指以外の他の指を掛けるための他指掛け部を設けたことを特徴とする流動食用注出口付きパウチ。
【請求項４】
前記親指掛け部が、シール部が内方に窪んだ凹部であることを特徴とする請求項１または３に記載の流動食用注出口付きパウチ。
【請求項５】
前記親指掛け部が、シール部に広幅シール部を設け、該広幅シール部に設けられた孔部であることを特徴とする請求項１または３に記載の流動食用注出口付きパウチ。
【請求項６】
前記他指掛け部が、シール部が内方に窪んだ凹部であることを特徴とする請求項２または３に記載の流動食用注出口付きパウチ。
【請求項７】
前記他指掛け部が、シール部に広幅シール部を設け、該広幅シール部に設けられた孔部であることを特徴とする請求項２または３に記載の流動食用注出口付きパウチ。
【請求項８】
前記孔部が、切れ目によって設けられ、該切れ目が上端の開いた略Ｕ字型で、切れていない繋ぎ部が１箇所以上設けられていることを特徴とする請求項５または７に記載の流動食用注出口付きパウチ。
【請求項９】
前記開放端には、上に向かって細くなるように突き出した狭幅部が形成され、該狭幅部に吊り下げるための吊り下げ孔が設けられていることを特徴とする請求項１から８のいずれか１項に記載の流動食用注出口付きパウチ。
【発明の詳細な説明】
【技術分野】
【０００１】
本発明は、流動食用注出口付きパウチに関するものである。特に、片手で持って充填口となる開放端を開いた状態で保持できる流動食用注出口付きパウチに関するものである。
【背景技術】
【０００２】
病院で患者さんなどに、栄養剤や医薬品などの流動食を投与するとき、胃や腸に挿入したカテーテルを通して投与することがある。この場合、下方に注出口の設けられたパウチに、流動食を充填口となる開放端より充填し、注出口をカテーテルに連結させて行っている。
【０００３】
このようなパウチでは、片手でパウチを持って、他方の手で流動食をパウチ内に流し込んで充填することになるが、パウチの充填口となる開放端が、片手で持っても充填できるように開いていなければならない。そのため、片手で持って開放端が開いた状態で保持できるような工夫が必要である。
【０００４】
片手で持って開放端が開いた状態で保持できるパウチには、例えば、充填部と隔離された内部空間を有する袋状部を、ジッパー（チャック）より上の表裏の壁面シートにそれぞれ設け、容器幅方向から内部空間への指を挿入可能とした挿入口を設けたパウチ容器がある（特許文献１）。
【０００５】
このパウチ容器の場合、袋状部を形成するために、表裏の壁面シートに、袋状部形成用シートを取り付ける必要があるので、袋状部形成用シートを別途用意し、表裏の壁面シートを重ね合わせる前に、取り付けなければならず、別部材の袋状部形成用シートが必要で工程も複雑になる。
【０００６】
また、別の形状のものとしては、開口部と、開口部よりも下側に配置された液状物を収容する収容部と、下端に排出口を有する、可撓性の袋部材と、手の指を挿入可能な挿入路が形成されるように、その中央部を弛ませて、袋部材の一方の主面に固定された、袋部材支持部とを含み、袋部材が幅方向の長さが他の部分よりも短いくびれ部を含むことにより、袋部材のくびれ部よりも上側部分の幅方向両端部は、各々、袋部材が挿入路に挿入された手の指によって支持された時に、手の上に配置され得る補助支持部を含む医療用軟質容器がある（特許文献２）。
【０００７】
この医療用軟質容器においても、別部材の袋部材支持部が必要であり、また、袋部材支持部を袋部材に固定する工程が必要であり、固定をヒートシールで行うためには、袋部材の外面には、ヒートシール可能な材質にする必要があり、袋部材の材質に制限が加えられる。また、接着剤による接着では、袋部材と袋部材支持部の材質と、接着剤の種類の選定が必要である。
【０００８】
公知文献を以下に示す。
【先行技術文献】
【特許文献】
【０００９】
【特許文献１】特開２０１４−２８６５２号公報
【特許文献２】国際公開第２０１２／０６６８６５号
【発明の概要】
【発明が解決しようとする課題】
【００１０】
本発明は上記のような事情に鑑みてなされたもので、片手で持って充填口となる開放端を開口したまま保持でき、特別の部材を用いることも、特別な製造工程も必要なくコストが低減できる流動食用注出口付きパウチを提供することを課題としている。
【課題を解決するための手段】
【００１１】
本発明は係る課題に鑑みなされたものであり、請求項１の発明は、上端部に充填口となる開放端と下端部分に注出口を設けた流動食用注出口付きパウチであって、
上部に左右方向のジッパーを設け、該ジッパーの一端部に親指を掛けるための親指掛け部を設けたことを特徴とする流動食用注出口付きパウチである。
【００１２】
本発明の請求項２の発明は、上端部に充填口となる開放端と下端部分に注出口を設けた流動食用注出口付きパウチであって、
上部に左右方向のジッパーを設け、該ジッパーの一端部に親指以外の他の指を掛けるための他指掛け部を設けたことを特徴とする流動食用注出口付きパウチである。
【００１３】
本発明の請求項３の発明は、上端部に充填口となる開放端と下端部分に注出口を設けた流動食用注出口付きパウチであって、
上部に左右方向のジッパーを設け、該ジッパーの一方の端部に親指を掛けるための親指掛け部を設け、他方の端部に親指以外の他の指を掛けるための他指掛け部を設けたことを特徴とする流動食用注出口付きパウチである。
【００１４】
本発明の請求項４の発明は、前記親指掛け部が、シール部が内方に窪んだ凹部であることを特徴とする請求項１または３に記載の流動食用注出口付きパウチである。
【００１５】
本発明の請求項５の発明は、前記親指掛け部が、シール部に広幅シール部を設け、該広幅シール部に設けられた孔部であることを特徴とする請求項１または３に記載の流動食用注出口付きパウチである。
【００１６】
本発明の請求項６の発明は、前記他指掛け部が、シール部が内方に窪んだ凹部であることを特徴とする請求項２または３に記載の流動食用注出口付きパウチである。
【００１７】
本発明の請求項７の発明は、前記他指掛け部が、シール部に広幅シール部を設け、該広幅シール部に設けられた孔部であることを特徴とする請求項２または３に記載の流動食用注出口付きパウチである。
【００１８】
本発明の請求項８の発明は、前記孔部が、切れ目によって設けられ、該切れ目が上端の開いた略Ｕ字型で、切れていない繋ぎ部が１箇所以上設けられていることを特徴とする請求項５または７に記載の流動食用注出口付きパウチである。
【００１９】
本発明の請求項９の発明は、前記開放端には、上に向かって細くなるように突き出した狭幅部が形成され、該狭幅部に吊り下げるための吊り下げ孔が設けられていることを特徴とする請求項１から８のいずれか１項に記載の流動食用注出口付きパウチである。
【発明の効果】
【００２０】
本発明の流動食用注出口付きパウチは、片手で持って充填口となる開放端を開口したまま保持できるので、流動食の充填が容易にでき、特別の部材を用いることも、特別な製造工程も必要なくコストが低減できる。
【図面の簡単な説明】
【００２１】
【図１】本発明の流動食用注出口付きパウチの一例を模式的に平面で示した説明図である。
【発明を実施するための形態】
【００２２】
以下、本発明を実施するための形態につき説明する。
図１は、本発明の流動食用注出口付きパウチの一例を模式的に平面で示した説明図である。
【００２３】
本例の流動食用注出口付きパウチ１００は、表裏２枚のフィルムが重ね合わされて、左サイドシール部１、右サイドシール部２と、底シール部３が設けられ、上端部が開放端になり流動食などを充填する充填口４となっている。
【００２４】
底シール部３には、注出口となるチューブ５が、表裏のフィルムの間に挟まれ、ヒートシールにより取り付けられている。底シール部３の内側の端部は、流動食などの充填物が最後まで出易いように左右中央に向かって傾斜している。
【００２５】
流動食用注出口付きパウチ１００の上部、上端の充填口４となる開放端の下方には、左右方向にジッパー６が挿入され取り付けられている。ジッパー６は、図示しないがテープ状で、溝と溝に嵌まり込む突起からなる雌雄の嵌合部とそれぞれの嵌合部に接続した台座部からなり、台座部がそれぞれパウチ１００の表裏のフィルムにヒートシールされて取り付けられている。
【００２６】
そして、テープ状のジッパーは、左サイドシール部１、右サイドシール部２では、このヒートシール時に、潰されて融着されている。このため、ジッパー６は、パウチ１００の表裏のフィルムにヒートシール可能な熱可塑性樹脂で成型されている。
【００２７】
左サイドシール部１の上部のジッパー６の端部には、親指以外の他の指を掛けるための他指掛け部８が設けられている。本例では、他指掛け部８は、左サイドシール部１の上部に広幅シール部７が設けられ、広幅シール部７に、親指以外の指が入るように孔部が設けられている。孔部は、切れ目によって設けられ、上端が開いた上下に長い略Ｕ字型になっている。
【００２８】
孔部の切れ目には、切れていない繋ぎ部８ａが設けられ、使用前には孔部が離れてトラブルの原因とならないようにして、使用するときには容易に切断できるように短い長さで設けられている。本例では、Ｕ字型の最下部と左右の直線部分の中間部分に設けている。
【００２９】
切れ目の略Ｕ字型の上端部分は、裂けてしまわないように、内側に湾曲させて、裂け防止機構８ｂを設けている。このように、孔部の切れ目が上端の開いた上下に長い略Ｕ字型になっているので、指を入れて持ったときに、フィルムの切り口ではなく、フィルムが捲くれた状態で指に当たるので、指が痛くない。
【００３０】
孔部はジッパー６にかかっていて、表裏２枚のフィルムとジッパー６を切断する切れ目になっている。このため、孔部に指を入れて内方に押すようにすると、ジッパー６でフィルムの腰が強くなっているので、充填口４となる開放端が開いた状態で保持することができる。
【００３１】
本例では、他指掛け部８を切れ目による略Ｕ字型で設けたが、これに限ることなく、単純な抜き孔で設けてもよい。また、左サイドシール部１の当該部分を内方に窪んだ凹部として、他指掛け部としてもよい。
【００３２】
右サイドシール部２には、上端部分に親指をかけるための親指掛け部９が設けられている。本例では、親指掛け部９は、シール部が内方に窪んだ凹部で設けられている。そして、ジッパー６の端部がこの凹部の位置に来ている。
【００３３】
親指を親指掛け部９の凹部に掛けて、このようにジッパー６で腰が強くなっている部分を押すようにすると、充填口４となる開放端が開いた状態で保持することができる。また、窪んでいるので親指が外れることがない。
【００３４】
本例では、親指掛け部９をシール部が内方に窪んだ凹部で設けたが、これに限ることなく、広幅シール部を設けて、広幅シール部に切れ目や抜き孔を設けて親指掛け部としてもよい。
【００３５】
そして、他指掛け部８と親指掛け部９を両方設けることによって、親指も他の指も流動食用注出口付きパウチ１００のジッパー６の両端部から外れることがなくなり、容易にジッパー６を挟んで押して、充填口４となる開放端が開いた状態で保持することができる。
【００３６】
充填口４となる開放端には、上に向かって細くなるように突き出した狭幅部１０が形成されていて、狭幅部１０に吊り下げるための吊り下げ孔１１が設けられている。この吊り下げ孔１１でスタンドなどから吊るすことによって、流動食などの充填物が、注出口９を通って、重量によって落下し投与することができる。
【００３７】
流動食用注出口付きパウチ１００の表裏のフィルムには、外側の基材層と、内側のシーラント層を有する積層フィルムが好ましく用いられる。基材層としては、ナイロン、ポリプロピレンや、ポリエチレンテレフタレートなどの２軸延伸フィルムが好ましく用いられる。
【００３８】
また、シーラント層には、低密度ポリエチレンや、直鎖状低密度ポリエチレンが好ましく用いられる。これらは、酸化防止剤が無添加のものが好ましい。また、シーラント層は無延伸のフィルムを、接着剤を用いて積層するか、溶融した樹脂を押し出して、基材層上に設けることもできる。更には、基材層とシーラント層を共押し出し法により押し出して、成膜と同時に多層化して用いてもよい。
【００３９】
流動食用注出口付きパウチ１００を製袋するには、まず、表裏のフィルムの間に、テープ状のジッパー６を挟んで溶着して取り付ける。次に底シール部３のチューブ５を取り付ける部分を除いて、左サイドシール部１、右サイドシール部２、および、底シール部３をヒートシールする。
【００４０】
また、ジッパー６の両端部分の左サイドシール部１、右サイドシール部２を２度シールしたり、左サイドシール部１、右サイドシール部２の下部にある内方に突き出た半円形のポイントシール部を２度目に再シールしたりしてもよい。
【００４１】
そして、外形を抜き加工によって抜き、吊り下げ孔１１も抜き加工で開ける。また、他指掛け部８や親指掛け部９を切れ目や抜き孔で設ける場合も抜き加工で開ける。これらは、同時に行うことがコスト的に有利であるが、場合によっては別工程で行うこともできる。
【００４２】
そして、注出口となるチューブ５を底シール部３のシールしていない部分の表裏のフィルムに挟んでヒートシールして取り付ける。以上のようにして、流動食用注出口付きパウチ１００が製袋される。
【００４３】
この流動食用注出口付きパウチ１００は、チューブ５に別のチューブが取り付けられ、このチューブには、流量調節器や流れを止めるクランプが取り付けられている。このチューブを介して、カテーテルに連結される。
【００４４】
尚、この別のチューブが取り付けられ流動食用注出口付きパウチ１００は、通気性があり、細菌類が透過しにくい包装材料で包装されて、ＥＯＧなどによるガス滅菌が施され、使用される医療機関に納入される。
【００４５】
流動食用注出口付きパウチ１００に流動食などを充填するには、ジッパー６が嵌合していない状態で、一方の手の親指以外の指を他指掛け部８に掛けて、親指を親指掛け部９に掛けて、流動食用注出口付きパウチ１００を左右から圧迫するように押すと、嵌合していないジッパー６の両端が、指で押されることになる。
【００４６】
ジッパー６を設けた部分は、設けていない表裏のフィルムより腰が強いので、これにより開いて流動食などを充填しやすくなる。そこで、他方の手で流動食などの充填物を流し込むことができる。
【００４７】
このように充填した流動食用注出口付きパウチ１００は、ジッパー６を嵌合して閉じ、吊り下げ孔１１でスタンドなどに掛け、前述のチューブを患者さんの体から出ているカテーテルの端部に連結させて、流動食などを投与することができる。
【００４８】
以上のように、本発明の流動食用注出口付きパウチは、片手で持って充填口となる開放端を開口したまま保持できるので、他方の開いた手で、流動食などの充填が容易にできる。また、製造に於いては、特別の部材を用いることも、特別な製造工程も必要なくコストを抑えることができる。
【符号の説明】
【００４９】
１００・・・流動食用注出口付きパウチ
１・・・左サイドシール部
２・・・右サイドシール部
３・・・底シール部
４・・・充填口
５・・・チューブ
６・・・ジッパー
７・・・広幅シール部
８・・・他指掛け部
８ａ・・・繋ぎ部
８ｂ・・・裂け防止機構
９・・・親指掛け部
１０・・・狭幅部
１１・・・吊り下げ孔
【図１】
2016067850.tif 000003